(57)【要約】      （修正有）【課題】強風等の無理な力の作用時に、結合外れによるピンチの挟持力の消失や弱化を防止し得る農園芸用ピンチを提供する。     【解決手段】一端部には張設された線状体を挟持する挟持部１６，１８が、他端部には把持部２０，２２が形成され、かつ中間部には相互の結合用の結合突部２４，２６を備えた１対のピンチ本体部材１２，１４を、両結合突部２４，２６を介して開閉可能に結合し、かつピンチ本体部材には輪状ばね４０の挿通する長孔４２，４３を形成し、配置された輪状ばねの両端部によって両挟持部が常時当接する方向に付勢されている農園芸用ピンチにおいて、両ピンチ本体部材に両把持部が拡開する方向の力が作用した際には両結合突部間の結合が外れる前に長孔４２，４３の一端部Ｐ、Ｑに輪状ばね４０が当接し、両把持部２０，２２がそれ以上拡開しないようにして、結合突部の結合が外れることを防止する。【選択図】図１
0003189309.tif 000002
【実用新案登録請求の範囲】
【請求項１】
一端部には張設された線状体もしくはこれに類する部材を挟持するための挟持部が形成されると共に他端部には指で把持するための把持部が形成され、かつ中間部には互いに結合させるための結合突部を備えた１対のピンチ本体部材を、両結合突部を介して開閉可能に結合させると共に両ピンチ本体部材には結合突部と把持部先端との間に輪状ばねを挿通した状態に配置するための透し孔状の長孔が形成され、配置された輪状ばねの両端部によって両挟持部が常時当接する方向に付勢され、しかも結合突部と挟持部との間に野菜類,花卉類その他の植物の茎葉、枝葉あるいは花柄等を保持し得る保持空間部が開口可能とされた農園芸用ピンチにおいて、両ピンチ本体部材に両把持部が拡開する方向の力が作用した際には両結合突部間の結合が外れる前に透かし孔状の長孔の結合突部寄りの端部に輪状ばねの内側が当接し、両把持部がそれ以上拡開しないようにして、結合突部の結合が外れることを防止するようにしたことを特徴とする農園芸用ピンチ。
【請求項２】
請求項１記載の農園芸用ピンチにおいて、各挟持部の先端側には先端方向に拡がった梯形状の凹部を形成すると共に該凹部の底部でかつ両挟持部同士が当接する部分に該凹部と前記保持空間部とを結ぶ方向の線状材を挟持し得る挟持凹部を設けるようにしたことを特徴とする農園芸用ピンチ。
【請求項３】
請求項２記載の農園芸用ピンチにおいて、各挟持部の先端側に形成された梯形状の挟持凹部に代えてＵ形もしくはＶ形または矩形状の凹部を形成するようにした農園芸用ピンチ。
【請求項４】
請求項１〜請求項３のいずれか１項に記載の農園芸用ピンチにおいて、各挟持部の先端側には挟持部同士が当接する部分にピンチ本体部材を横切る方向に線状体を挟持し得る挟持凹部を設けるようにした農園芸用ピンチ。
【請求項５】
請求項１〜請求項４のいずれか１項に記載の農園芸用ピンチにおいて、各ピンチ本体部材の把持部にはすくなくとも高さが０．５ｍｍ以上の複数の突条部が把持部を横切る方向に形成されてなるすべり止めを設けるようにした農園芸用ピンチ。
【請求項６】
所定幅の厚紙もしくはシート状部材の両側に挟持させることにより所定方向に配列された請求項１〜請求項５のいずれか１項に記載の複数の農園芸用ピンチを、複数段重ね透明もしくは不透明の包装紙により直方体状に包装したパック済み農園芸用ピンチ。
【考案の詳細な説明】
【技術分野】
【０００１】
本考案は農園芸用ピンチに関するものであり、特にピンチの使用中に強風その他の無理な力が働いたときにおいても，ピンチを構成する両ピンチ本体部材間の結合が外れてピンチの挟持力が消失や弱化することを、防止し得るようにした農園芸用ビンチに関するものである。
【背景技術】
【０００２】
農園芸用ピンチは、強風であおられたとき等にはピンチを構成する両ピンチ本体部材の結合突部間の結合が外れることがある。そうすると、ピンチの挟持力が消失したり、弱くなったりして、挟持していた植物体が、あるいはピンチと共に植物体が落下し、幹や茎、枝葉等が折損する等回復し難い損傷を受けるおそれがあるという問題点があった。また、長期間使用し結合突部の結合部分が摩耗したときにも、両ピンチ本体部材の結合が外れ易くなり,植物体が損傷を受けるおそれがあるという同様な問題点があった。
【先行技術文献】
【特許文献】
【０００３】
【特許文献１】実用新案登録第３１４２８２１号公報
【考案の概要】
【考案が解決しようとする課題】
【０００４】
そこで、本願考案者らは、両結合突部の結合が外れないように両把持部間に一定限度以上に開かないようにする拡開制限部材を設けることを着想したが、通常の使用時にはこれが邪魔になり使用し難いという欠点があった。そこで、種々研究を続けているうちに、ピンチに当初から使用されている輪状ばねを把持部の拡開制限部材として使用することを見出し本願考案を想到するに至ったものである。
本考案はこのような事情を背景としてなされたものであり、本考案の目的は
あらたに部品点数を増やすことなく、ピンチの使用中に強風その他の無理な力が働いたときにおいても，ピンチを構成する両ピンチ本体部材間の結合が外れないようにして、ピンチの挟持力が消失や弱化することを防止し得るようにした農園芸ピンチを提供することである。 また、長期間の使用し結合突部の結合部分が摩耗したときにも、使用中に両ピンチ本体部材の結合が外れることを防止し得るようにした農園芸用ピンチを提供することである。
【課題を解決するための手段】
【０００５】
このような目的を達成するためになされた本考案は、次のように構成される。
Ａ  一端部には張設された線状体もしくはこれに類する部材を挟持するための挟持部が形成されると共に他端部には指で把持するための把持部が形成され、かつ中間部には互いに結合させるための結合突部を備えた１対のピンチ本体部材を、両結合突部を介して開閉可能に結合させると共に両ピンチ本体部材には結合突部と把持部先端との間に輪状ばねを挿通した状態に配置するための透し孔状の長孔が形成され、配置された輪状ばねの両端部によって両挟持部が常時当接する方向に付勢され、しかも結合突部と挟持部との間に野菜類,花卉類その他の植物の茎葉、枝葉あるいは花柄等を保持し得る保持空間部が開口可能とされた農園芸用ピンチにおいて、両ピンチ本体部材に両把持部が拡開する方向の力が作用した際には両結合突部間の結合が外れる前に透かし孔状の長孔の結合突部寄りの端部に輪状ばねの内側が当接し、両把持部がそれ以上拡開しないようにして、結合突部の結合が外れることを防止するようにしたことを特徴とする農園芸用ピンチ。
Ｂ  Ａ項記載の農園芸用ピンチにおいて、各挟持部の先端側には先端方向に拡がった梯形状の凹部を形成すると共に該凹部の底部でかつ両挟持部同士が当接する部分に該凹部と前記保持空間部とを結ぶ方向の線状材を挟持し得る挟持凹部を設けるようにしたことを特徴とする農園芸用ピンチ。
Ｃ  Ｂ項記載の農園芸用ピンチにおいて、各挟持部の先端側に形成された梯形状の挟持凹部に代えてＵ形もしくはＶ形または矩形状の凹部を形成するようにした農園芸用ピンチ。
Ｄ  Ａ項〜Ｃ項のいずれか１項に記載の農園芸用ピンチにおいて、各挟持部の先端側には挟持部同士が当接する部分にピンチ本体部材を横切る方向に線状体を挟持し得る挟持凹部を設けるようにした農園芸用ピンチ。
Ｅ  Ａ項〜Ｄ項のいずれか１項に記載の農園芸用ピンチにおいて、各ピンチ本体部材の把持部にはすくなくとも高さが０．５ｍｍ以上の複数の突条部が把持部を横切る方向に形成されてなるすべり止めを設けるようにした農園芸用ピンチ。
Ｆ  所定幅の厚紙もしくはシート状部材の両側に挟持させることにより所定方向に配列されたＡ項〜Ｅ項のいずれか１項に記載の複数の農園芸用ピンチを、複数段重ね透明もしくは不透明の包装紙により直方体状に包装したパック済み農園芸用ピンチ。
ここで、「野菜類,花卉類その他の植物」とは野菜類、花卉類に限らず、すべての草本類、木本類を含むものである。
【考案の効果】
【０００６】
本考案は上述のように構成されているので、次に記載する効果を奏する。
本考案の農園芸用ピンチは、両ピンチ本体部材の結合突部と把持部先端との間に輪状ばねを挿通した状態に配置するための透し孔状の長孔が形成され、かつその長孔を通って外側に出た輪状ばねの両端部によって両挟持部が常時当接する方向に付勢されている。このような構成において、強風等による両把持部間が拡開する方向の外力が働くと、やがて輪状ばねの内側が長孔の結合突部寄りの端部（Ｐ点、Ｑ点）に当接するようになる。このとき、両結合突部の結合が外れる前に、輪状ばねが上記長孔の結合突部寄りの端部に当接するようにされているので、両把持部間はそれ以上拡開しないから両結合突部間の結合が外れることはなく、挟持力は維持される。従って、挟持していた植物体が落下したり、植物体と一緒にピンチが落下したりすることがないので、植物体の損傷を防止できる利点がある。
長期間使用し結合突部の結合部分が摩耗したピンチでも、両ピンチ本体部材の結合が外れ易くなり,植物体が損傷を受けるおそれがあるが、上記と同様な構成により、両把持部間はそれ以上拡開しないから両結合突部間の結合が外れることはなく、挟持力は維持され、挟持していた植物体が落下したり、植物体と一緒にピンチが落下したりすることがないので、植物体の損傷を防止できる。
また、各挟持部の先端側には梯形状の凹部を形成すると共に該凹部の底部でかつ両挟持部同士が当接する部分に該凹部と保持空間部とを結ぶ方向の線状材を把持し得る挟持凹部を設けることによって、張設された線状体への挟持凹部の位置決めが容易となり、線状体へのピンチの取付が簡単容易で迅速に行い得る利点がある。
さらに、各挟持部の先端側には挟持部同士が当接する部分にピンチ本体部材を横切る方向に線状体を挟持し得る挟持凹部を設けることによって、張設された線状体への横方向からのピンチの取付が容易になる。
各ピンチ本体部材は互いに結合する各結合突部について、それぞれ一方の側面部寄りに単独の突状部を、他方の側面部寄りに所定隙間を隔てた１対の突状部を設けて構成し、両ピンチ本体部材の組付時に突状部が互いに嵌り合うようにすれば、両ピンチ本体部材の結合がしっくりして円滑に行われるようになり、ピンチ使用時のがたつきや脱落を防止し得る利点がある。
【図面の簡単な説明】
【０００７】
【図１】本考案の実施例を示す一部破断正面図である。
【図２】同実施例の平面図である。
【図３】（イ）は図１におけるＡ−Ａ断面図であり、（ロ）は同図における要部分解説明図である。
【図４】図２におけるＺ視図である。
【図５】同実施例の一対の部品のうちの一方の部品（ピンチ本体部材１２）の底面図である。
【図６】同実施例の作用機能を示す説明図である。
【図７】同実施例を植物栽培に適用した使用状態の一例を示す説明図である。
【図８】従来例のピンチの使用時の一態様を示す説明図である。
【考案を実施するための形態】
【０００８】
ピンチの両ピンチ本体部材の両把持部間を拡開する方向の外力が働いたとき、拡開を制限して両ピンチ本体部材の結合突部の結合が外れなくするという目的を、輪状ばねを挿入配置するため両ピンチ本体部材にそれぞれ設けた透かし孔状の長孔の結合突部側の端部（Ｐ点、Ｑ点）に、輪状ばねの内側を当接させて行うという簡単な構成で達成した。
【実施例】
【０００９】
以下本考案の実施例を図面に基づいて詳細に説明する。
図１、図２、図５において１０は農園芸用ピンチであり、１２、１４はピンチ本体部材で、それぞれの一端部には線状体としての針金等を挟持するための挟持部１６、１８が、他端部には指で把持するための把持部２０、２２が形成され、その中間部には結合突部２４、２６が設けられている。
図３に示すようにピンチ本体部材１２の結合突部２４は、幅方向の一方の側端部（図上では左端側）寄りに所定厚さの単独の突状部２８が突設され、他方の側端部（図上で右端側）寄りに所定厚さの１対の突状部３０、３２が所定隙間を隔てて突設されてなり、ピンチ本体部材１４の結合突部２６は、一方の側端部（図上で左端側）寄りに所定厚さの１対の突状部３４、３６が所定隙間を隔てて突設され、他方の側端部（図上で右端側）寄りに所定厚さの単独の突状部３８が突設されている。なお、図１、図２、図５に示すようにピンチ本体部材１２の結合突部２４の突状部２８の基部と突状部３２は、それぞれピンチ本体部材１２の側面より所定幅で所定高さ外方に張り出している。そして、各突状部の先端部は半円状とされると共に突状部２８は前記張り出し面より引っ込んだ状態で、かつその段差部分には円弧状の凹部が形成されている。ピンチ本体部材１４の結合突部３８も同様に構成される。
【００１０】
そして、一方のピンチ本体部材の単独の突状部が他方のピンチ本体部材の１対の突状部の隙間に嵌り込み、一方のピンチ本体部材の１対の突状部の隙間に他方のピンチ本体部材の単独の突状部が嵌り込むことによって両ピンチ本体部材が互いに結合できるようにされている。これによって、ピンチ本体部材１２、１４は開閉可能に結合されると共に輪状ばね４０により両挟持部１６、１８が互いに当接するように付勢されている。
このように、一方のピンチ本体部材の１対の突状部間に他方のピンチ本体部材の単独の突状部が嵌り込み、他方のピンチ本体部材の１対の突状部間に一方のピンチ本体部材の単独の突状部が嵌り込むことにより、両ピンチ本体部材間の結合はがたつくことなく好適に行われる。
【００１１】
ピンチ本体部材１２の上面部には図１、図２に示すように把持部２０の端部寄り部分から結合突部２４の方向に透かし孔状の長孔４２が形成され、ここから輪状ばね４０が挿入され、その端部は挟持部１６寄り部分に形成された係止凹部４４に嵌め込まれて取付られる。
なお、ピンチ本体部材１２とピンチ本体部材１４は形状、寸法共に全く同一であり、同じものを裏面同士が向かい合うように結合して使用するものである。
【００１２】
図８に示すように、従来例のピンチ２では、使用時強風等にさらされるとピンチ本体部材の把持部５、６間が拡開する方向の力を受け、両結合突部３、４間が開くことがある。こうなると、ピンチ本体部材の先端部で点接触の不安定な状態にあるから、風等による側方の力を受けてねじれるとバランスを崩してピンチ２が分解状態になり、挟持していた植物体が単独で落下し、あるいはビンチと共に落下し損傷する被害を受けるおそれがある。なお、ピンチを長期間使用していると結合突部が摩耗し、僅かな衝撃で、同様な被害を受ける場合がある。゜
【００１３】
ところが、本実施例の農園芸用ピンチ１０では、図６に示すように、ピンチ本体部材１２、１４の把持部端か拡開するような事態になると両結合突部２４、２６間が外れる前に、長孔４２の結合突部２４寄りの端部Ｐに輪状ばね４０が当接すると共に、長孔４３の結合突部２６寄りの端部Ｑに輪状ばね４０の内側が当接し、ピンチ本体部材１２、１４はそれ以上拡開せず、結合突部２４、２６間の結合が外れることはない。従って、ピンチが外れて、植物体が落下して被害を受けることはない。
【００１４】
挟持部１６、１８には図２に示すように、それぞれ梯形状の凹部４８が形成され、その底面には図４に示すようにＶ字状の挟持凹部４９が形成されている。図７に示すようにピンチ１０を圃場やビニールハウス等に張設された針金（線状体）５０に止める際、挟持凹部４９は凹部４８の底部に設けられているので針金５０はその部分で案内され、位置決めされ、誘導し易く止め易いという利点がある。また、挟持部１６，１８の挟持面には図１、図５に示すように、それぞれ針金（線条体）５０を挟持して止めるための挟持凹部５１が横切る方向に設けられている。
挟持部１６、１８と結合突部２４、２６との間には、野菜、花卉等の茎や、うりの蔓等を誘因保持し得る保持空間部５６が設けられ、両把持部２０、２２を指で把持することにより開口可能とされている。挟持凹部５１は、図７に示すように張設された針金５０等に、横方向（略直角方向）にピンチを止める際に通常使用し、梯形状の凹部４８の底部に形成された挟持凹部４９は、図２に示すように張設された針金５３等に略沿う方向にピンチを止める際に使用すると好都合である。
【００１５】
把持部２０、２２には図１、図２に示すように複数のすべり止５２、５４が設けられている。各すべり止は突条をなし、把持部を横切る方向に形成されるが、その高さは約０．５ｍｍ以上とすることが望ましい。圃場やビニルハウス等では葉についた露や水分等で指がすべり易いが、突条の高さを高くすることによりピンチ使用時、すべり難くなり、使用し易いという利点がある。４６は挿通孔であり、ビンチ１０自体を吊り上げたり、ピンチに他の部材を吊り下げたりするのに使用する。
【産業上の利用可能性】
【００１６】
前記実施例は野菜,花卉等の植物の育成に使用する農園芸ピンチについて説明したが、本考案はこれら以外の他の植物についても適用可能である。
以上本考案の一実施例について説明したが、本考案はこのような実施例に何等限定されるものではなく、本考案の要旨を逸脱しない範囲において種々なる態様で実施し得ることはもちろんである。
【符号の説明】
【００１７】
１０  農園芸用ピンチ
１２  ピンチ本体部材
１４  ピンチ本体部材
１６  挟持部
１８  挟持部
２０  把持部
２２  把持部
２４  結合突部
２６  結合突部  
４０  輪状ばね
４２  長孔
４３  長孔
４８  凹部
４９  挟持凹部
５０  針金（線状体）
５６  保持空間部
【図１】
0003189309.tif 000003
【図２】
0003189309.tif 000004
【図３】
0003189309.tif 000005
【図４】
0003189309.tif 000006
【図５】
0003189309.tif 000007
【図６】
0003189309.tif 000008
【図７】
0003189309.tif 000009
【図８】
0003189309.tif 000010